(57)【要約】無線移動通信用の第１および第２のネットワークによってオーバーラップしているセル・カバレージのエリア内で移動端末を登録する方法が提供されている。それらのネットワークは異なるタイプである。その方法は、移動端末の識別子を記憶するステップと、コントローラ内に、その移動端末は第１のネットワーク内のどのセルまたはセルのグループの中に位置しているかの第１のレコードおよびその移動端末は第２のネットワーク内のどのセルまたはセルのグループの中に位置しているかの第２のレコードを記憶するステップと、その移動端末に両方のレコードおよび前記識別子の情報を提供するステップとを含む。
2010518717.tif 000002
【特許請求の範囲】
【請求項１】
無線移動通信用の第１および第２のネットワークのオーバーラップしているセル・カバレージのエリア内で移動端末を登録する方法であって、前記ネットワークは、異なるタイプであり、そしてコントローラを有しており、前記方法が、
前記移動端末の識別子を前記コントローラ内に記憶し、そして、前記移動端末が前記第１のネットワーク内のどのルーティング／トラッキング・エリアの中に位置しているかの第１のレコードと、前記移動端末が前記第２のネットワーク内のどのルーティング／トラッキング・エリアの中に位置しているかの第２のレコードとを前記コントローラ内に記憶することで、両方のネットワークに関して前記移動端末を登録するステップと、
前記移動端末に両方のレコードと前記識別子との情報を提供するステップとを含む方法。
【請求項２】
前記移動端末が前記２つのネットワークの前記オーバーラップしているセルまたはセルのグループ間でローミングしたときに、前記移動端末へのまたは前記移動端末からの位置更新信号が発生しないように、前記移動端末が両方のレコードの情報を提供される、請求項１に記載の方法。
【請求項３】
前記コントローラは、前記第１のネットワーク内にあり、そして、前記第２のネットワークのコントローラに前記移動端末のプロキシ登録を行う、請求項１に記載の方法。
【請求項４】
前記コントローラまたは前記コントローラの各々がそれぞれのコア・ネットワーク・ノードを備える、請求項１に記載の方法。
【請求項５】
前記移動端末が、オーバーラップしている前記２つのセルの少なくとも１つによってカバーされたエリアから出て、そして、前記コントローラは、前記移動端末が各ネットワーク内のどの新しいセルまたはセルのグループに入ったかのさらなるレコードを第２のコントローラに提供する、請求項１に記載の方法。
【請求項６】
前記移動端末が位置更新信号生成を行うことに応じて、前記さらなるレコードの１つが提供される、請求項５に記載の方法。
【請求項７】
前記第１のネットワーク内のセルまたはセルのグループを前記第２のネットワーク内のオーバーラップしているセルまたはセルのグループに関連付けたレコードのテーブルを探索することにより、前記さらなるレコードの他方が提供される、請求項６に記載の方法。
【請求項８】
前記移動端末が前記第２のコントローラのカバレージ・エリアの外にローミングしたかを判定するために前記さらなるレコードが使用される、請求項５に記載の方法。
【請求項９】
前記移動端末が前記第２のコントローラのカバレージ・エリアの外にローミングしたと判定されると、新しいコントローラを識別するために前記さらなるレコードが使用される、請求項８に記載の方法。
【請求項１０】
前記移動端末がアイドル・モードになっている、請求項１に記載の方法。
【請求項１１】
前記第１のネットワークがＷＣＤＭＡに基づくネットワークであり、前記第２のネットワークがＯＦＤＭＡに基づくネットワークである、請求項１に記載の方法。
【請求項１２】
前記第１のネットワークがＵＭＴＳネットワークであり、前記第２のネットワークがＵＭＴＳ  Ｌｏｎｇ  Ｔｅｒｍ  Ｅｖｏｌｕｔｉｏｎ（長期発展）ネットワークである、請求項１に記載の方法。
【請求項１３】
無線移動通信用の第１および第２のネットワークによるオーバーラップしているセル・カバレージのエリア内で移動端末がローミングする方法であって、前記ネットワークは、異なるタイプであり、そしてコントローラを有しており、前記方法が、
前記移動端末の識別子を前記コントローラ内に記憶し、そして、前記移動端末が前記第１のネットワーク内のどのルーティング／トラッキング・エリアの中に位置しているかの第１のレコードと、前記移動端末が前記第２のネットワーク内のどのルーティング／トラッキング・エリアの中に位置しているかの第２のレコードとを前記コントローラ内に記憶することで、両方のネットワークに関して前記移動端末を登録するステップと、
前記移動端末が前記２つのネットワークの前記オーバーラップしているセルまたはセルのグループ間でローミングしたときに、前記移動端末へのまたは前記移動端末からの位置更新信号が発生しないように、前記移動端末に両方のレコードの情報を提供するステップとを含む方法。
【請求項１４】
無線通信用の第１および第２のネットワークを含む通信システムであって、
前記ネットワークは、オーバーラップしているセル・カバレージを有し、前記ネットワークが異なるタイプであり、そして、前記ネットワークの少なくとも１つがコントローラと送信機とを有し、
前記コントローラは、前記ユーザ端末の識別子と、前記ユーザ端末が前記第１のネットワーク内のどのルーティング／トラッキング・エリアの中に位置しているかの第１のレコードと、前記ユーザ端末が前記第２のネットワーク内のどのルーティング／トラッキング・エリアの中に位置しているかの第２のレコードとを記憶するように動作して、両方のネットワークについてユーザ端末を登録し、そして、
前記送信機は、前記ユーザ端末に両方のレコードと前記識別子との情報を提供するように動作する、通信システム。
【発明の詳細な説明】
【技術分野】
【０００１】
本発明は、通信、特に無線通信に関する。
【背景技術】
【０００２】
今日まで、２つの異なるアクセス技術にわたって移動管理信号を最適化する既知のソリューションは、両方の技術を扱う単一のコア・ネットワーク・ノードを有すること、およびその２つの技術間でルーティング・エリア識別情報を共用することであった。この方法は、ユニバーサル移動通信システム（ＵＭＴＳ）ネットワークおよび移動通信グローバル・システム（ＧＳＭ）ネットワークというアクセス技術を有するシステムで使用されてきた。これは、展開オプションを制約するので、柔軟な方法ではない。
【発明の概要】
【課題を解決するための手段】
【０００３】
本発明による方法および装置は添付の特許請求の範囲に記載されており、読者は、それを参照されたい。好ましい特徴は、従属請求項で提示されている。
【０００４】
無線移動通信用の第１および第２のネットワークによってオーバーラップしているセル・カバレージのエリア内で移動端末を登録する方法が提供されている。それらのネットワークは異なるタイプである。その方法は、移動端末の識別子を記憶するステップと、コントローラ内に、その移動端末は第１のネットワーク内のどのセルまたはセルのグループの中に位置しているかの第１のレコードおよびその移動端末は第２のネットワーク内のどのセルまたはセルのグループの中に位置しているかの第２のレコードを記憶するステップと、その移動端末に両方のレコードおよび前記識別子の情報を提供するステップとを含む。
【０００５】
したがって、好ましい実施形態では、２つの異なる無線伝送技術を使用できるデュアル・モード・ユーザ端末が、アイドル・モードにある間、大量の位置更新信号を生成することなくその２つの技術間の接続を転送できる方法が提供される。それら２つの技術は、例えば、一方では、広帯域符号分割多元接続（ＷＣＤＭＡ）に基づくユニバーサル移動通信システム（ＵＭＴＳ）、他方では、直交周波数分割多元接続（ＯＦＤＭＡ）に基づくＵＭＴＳ  Ｌｏｎｇ  Ｔｅｒｍ  Ｅｖｏｌｕｔｉｏｎ（長期発展）（ＬＴＥとしても知られている）であってよい。ユーザ端末は、多くの場合、ユーザ機器（ＵＥ）と呼ばれる。
【０００６】
提案される方法は、いくつかの実施形態では、ルーティング・エリア識別情報の独立した割り振りおよびネットワーク・プラニングを考慮し、また実質的に独立したコア・ネットワーク・ノードの使用も可能にしている（ただし、その２つのコア・ノードは互いに対話することができる）。
【０００７】
ユーザ端末が２つのネットワーク間で転送されるたびに出されるユーザ端末からの位置更新信号メッセージを減らす目的で、ユーザ端末による１回の登録だけで移動端末を２つのネットワーク内に登録する方法が提供されることが好ましい。
【０００８】
第１のネットワークの無線アクセス・ネットワーク（ＲＡＮ）は、トラッキング・エリアのそのセルのそれぞれについて、他方のネットワークの対応する「オーバーレイ」セルのマッピング・レコードを保持することが好ましい。第１のネットワークのＲＡＮは、両方のネットワークのセルのトラッキング・エリア／ルーティング・エリアをコア・ネットワークに提供することが好ましい。
【０００９】
一方のネットワークのコア・ネットワークは、他方のネットワークのコア・ネットワークを識別するために、この情報を単独で、またはユーザ端末によって提供されるユーザ端末の一時識別子と共に使用することが好ましい。第１のネットワークのコア・ネットワークは、ユーザ端末のために、他方のネットワークのコア・ネットワークにプロキシ登録を行うことが好ましい。
【００１０】
どのエリアを、移動端末が位置更新信号をまったく生成せずにローミングできる「同等トラッキング」エリアと見なすことができるかを知らせるために、ユーザ端末にトラッキング・エリア／ルーティング・エリア、またはトラッキング・エリアおよびルーティング・エリアのリストが提供されることが好ましい。
【００１１】
本発明の好ましい実施形態を、例として、以下の図面を参照しながら説明する。
【図面の簡単な説明】
【００１２】
【図１】本発明によるシステムの図である。
【図２】オーバーラップしているカバレージ・エリアを示す、図１に示されたネットワークの、より詳細な図である。
【図３】図２に示されたＬＴＥネットワーク内のネットワーク・アタッチメント手順を示したシーケンス図である。
【図４】ＬＴＥネットワーク内の第１のトラッキング・エリア更新シナリオを示したシーケンス図である。
【図５】サービングＧＰＲＳサポート・ノード（ＳＧＳＮ）が変更され、ＳＧＳＮ＿ｏｌｄがＳＧＳＮ＿ｎｅｗに向けてプロキシ更新を行う、第２のトラッキング・エリア更新シナリオを示したシーケンス図である。
【図６】ＳＧＳＮが変更され、基地局（ｅＮＢ）がＳＧＳＮ＿ｎｅｗに向けて直接にプロキシ更新を行う、第３のトラッキング・エリア更新シナリオを示したシーケンス図である。
【図７】ＵＭＴＳでのルーティング・エリア更新手順を示したシーケンス図である。
【図８】データをユーザ端末に配信するためのページング手順を示したシーケンス図である。
【発明を実施するための形態】
【００１３】
最初にネットワークの体系を説明し、その後、その体系内で使用されるアタッチ手順ならびにトラッキング・エリアおよびルーティング・エリアの更新手順の説明をする。このネットワーク内で使用される、アイドル・モードのユーザ端末にダウンリンク・データを配信するためのページング手順についても説明する。
【００１４】
ネットワーク
図１に示されているように、オーバーラップしているセルおよびカバレージ・エリアを有する２つの技術（技術Ａおよび技術Ｂ）がある。各技術の無線アクセス・ネットワーク（ＲＡＮ）は、そのセルのそれぞれについて、さらに他方の技術のオーバーラップしているセルについてもルーティング・エリア（ＲＡ）／トラッキング・エリア（ＴＡ）のマッピング・レコードを保持している。例えば、技術ＡのＲＡＮは、そのセルのそれぞれのルーティング・エリアを知っており、さらに技術Ａのセルとオーバーラップしている技術Ｂのセルの対応するトラッキング・エリアも知っている。
【００１５】
図２に示されているように、これらのネットワークにおいて、技術ＡはＬｏｎｇ  Ｔｅｒｍ  Ｅｖｏｌｕｔｉｏｎ（長期発展）（ＬＴＥ）であり、技術Ｂはユニバーサル移動通信システム（ＵＭＴＳ）である。ＬＴＥおよびＵＭＴＳコア・ネットワークは、ゲートウェイおよびホーム加入者サーバ／ホーム位置レジスタ（ＨＳＳ／ＨＬＲ）に接続されていることも示されている。技術Ａのコア・ネットワークはＬＴＥコア・ノード（ＬＣＮ）であり、技術Ｂのコア・ネットワークはサービングＧＰＲＳサポート・ノード（ＳＧＳＮ）である。ここで、ＧＰＲＳは、汎用パケット無線システム（Ｇｅｎｅｒａｌ  Ｐａｃｋｅｔ  Ｒａｄｉｏ  Ｓｙｓｔｅｍ）を表す。デュアル・モードの、具体的にはＬＴＥおよびＵＭＴＳが可能なユーザ端末も示されている。技術Ｂのコア・ネットワーク・ノード（ＳＧＳＮ）は、図２に示されているように、ユーザ端末にそのユーザ端末向けのパケットが到達できるように、アンカーとして機能するゲートウェイ（本説明の残り部分では、ゲートウェイ・ノードと呼ばれる）に向けてもトンネルによってリンクされている。
【００１６】
一方の技術のコア・ネットワーク・ノードは、他方の技術のコア・ネットワーク内のノードのアドレスを他方の技術のトラッキング／ルーティング・エリアの識別情報に関連付けるマッピング・テーブルを保持する必要がある。そのマッピング・テーブルは、コア・ネットワーク・ノードの１つ（または複数）のアドレスに関連付けられた、そのコア・ネットワーク・ノードが扱うトラッキング／ルーティング・エリアのリストに基づく。
【００１７】
別法として、別の類似した実施形態（図示せず）では、一方の技術のマッピング・テーブルは、他方の技術のコア・ネットワーク識別情報を識別するために、他方の技術の既知のタイプのユーザ機器識別子、すなわち、ＵＥ識別情報（Ｐ−ＴＭＳＩまたはＬＴＥ  ＴＭＳＩ（Ｌ−ＴＭＳＩと呼ばれる））を使用する。
【００１８】
ネットワーク・アタッチメント手順
基本的なことを言えば、図３は、一方の技術（技術Ａ）でユーザ端末（ユーザ機器、ＵＥ）がアタッチし、技術Ａの無線アクセス・ネットワーク（ＲＡＮ）が、アタッチ要求を技術Ａのコア・ネットワーク（ＣＮ）に渡す前に、このユーザ端末がアタッチを実行している、技術Ａのセルのトラッキング・エリア（ＴＡ）および技術Ｂのオーバーラップしているセルの技術Ｂのルーティング・エリアをアタッチ要求に組み込む状況に関する。この技術Ａのコア・ネットワーク・ノードは、他方の技術（技術Ｂ）のコア・ネットワーク・ノードへのユーザ端末のプロキシ登録を行う。技術Ｂのコア・ネットワーク・ノードは、技術ＡのＲＡＮによってアタッチ・メッセージに組み込まれた、技術Ｂのルーティング・エリア（ＲＡ）識別情報の値に基づいて、技術Ａ内のコア・ネットワーク・ノードによって判定される。図３に示された例において、技術ＡはＬｏｎｇ  Ｔｅｒｍ  Ｅｖｏｌｕｔｉｏｎ（長期発展）（ＬＴＥ）、技術ＡのＲＡＮは拡張ノードＢ（ｅＮＢ）、技術Ｂはユニバーサル移動通信システム（ＵＭＴＳ）である。技術ＢのコアはサービングＧＰＲＳサポート・ノード（ＳＧＳＮ）であり、技術Ａのコア・ネットワーク・ノードはＬＴＥコア・ノード（ＬＣＮ）である。
【００１９】
図３に示されているように、より具体的には、アタッチ要求がユーザ端末（ユーザ機器、ＵＥ）によってｅＮＢに向けて送信される（ステップａ）。アタッチ要求は、ユーザ端末の国際移動加入者識別情報（Ｉｎｔｅｒｎａｔｉｏｎａｌ  Ｍｏｂｉｌｅ  Ｓｕｂｓｃｒｉｂｅｒ  Ｉｄｅｎｔｉｔｙ）（ＵＥ  ＩＭＳＩ）を含んでいる。拡張ノードＢ（ｅＮＢ）が、これをＬＴＥコア・ネットワーク（ＬＣＮ）に転送する（ステップｂ）。ｅＮＢは、ｅＮＢ内で維持されているマッピング・テーブルを使用することにより検出される、オーバーラップしているＵＭＴＳセルのＵＭＴＳルーティング・エリア識別情報（ＲＡＩｄ）も含んでいる。ＬＣＮが、コア・ネットワーク・マッピング・テーブルを使用してステップｂで受信されたＵＭＴＳ  ＲＡＩｄ値に基づいて関連のＳＧＳＮを判定、すなわち、識別する。ＬＣＮは、次いで、ＵＥ  ＩＭＳＩを含むプロキシ・アタッチ要求をサービングＧＰＲＳサポート・ノード（ＳＧＳＮ）に送信する（ステップｄ）。これは、ステップｅでＳＧＳＮによって肯定応答される。ＬＣＮは、次いで、ゲートウェイに向けてトンネルを確立し（ステップｆ）、さらにホーム加入者サーバ／ホーム位置レジスタ（ＨＳＳ／ＨＬＲ）に向けて位置更新も行う（ステップｇ）。これらの手順が完了したら、ＬＣＮは、ユーザ端末に、ＵＭＴＳではユーザ端末の一時識別情報（パケット一時移動加入者識別情報、Ｐ−ＴＭＳＩ）、ＬＴＥでは一時移動加入者識別情報（Ｌ−ＴＭＳＩ）、ＵＭＴＳルーティング・エリア識別情報（ＲＡＩｄ）、およびＬＴＥトラッキング・エリア識別情報（ＴＡＩｄ）を含むアタッチ受諾（Ａｔｔａｃｈ  Ａｃｃｅｐｔ）を送信する（ステップｈ）。
【００２０】
このように、技術Ａでのアタッチの処理および技術Ｂでのプロキシの登録が完了したら、ユーザ端末は、２つの技術内のルーティング・エリア／トラッキング・エリア識別情報および２つの技術内の一時識別情報を取得しており、そのことはまた、ユーザ端末を２つの技術内の特定のコア・ネットワーク・ノード（識別情報はコア・ノードを暗示的に識別する）に結合することにもなる。
【００２１】
この状態では、ユーザ端末は、その接続先の技術、ＡまたはＢを変更しても、初期登録時と同じトラッキング・エリア／ルーティング・エリア内に留まっている限り、位置更新信号をまったく生成しない。初期のトラッキング・エリア／ルーティング・エリアの境界を越えると、ユーザ端末は、ユーザ端末が現在キャンプオンしている技術のコア・ネットワーク・ノードでトラッキング・エリア／ルーティング・エリア更新手順を実行する必要がある。
【００２２】
トラッキング・エリア更新手順
ここでは、３つのトラッキング・エリア更新手順を説明する。図４は、ユーザ端末がＬｏｎｇ  Ｔｅｒｍ  Ｅｖｏｌｕｔｉｏｎ（長期発展）（ＬＴＥ）無線アクセス・ネットワーク（ＲＡＮ）に向けてトラッキング・エリア更新を行っていることを示している。ＬＴＥコア・ネットワークが、ＳＧＳＮが変更されないＵＭＴＳコア・ネットワークにプロキシ登録を行う。ｅＮＢが、ＬＣＮに向けてトラッキング・エリア更新を送信しながらＵＭＴＳルーティング・エリアを付加する。ユーザ端末が、トラッキング・エリア更新受諾（Ｔｒａｃｋｉｎｇ  Ａｒｅａ  ｕｐｄａｔｅ  Ａｃｃｅｐｔ）の中で、更新を行う必要がないトラッキング・エリアおよびＲＡのリストを提供される。図５および図６の両方において、ＳＧＳＮ＿ｎｅｗはＳＧＳＮ＿ｏｌｄと異なる。図５において、ｅＮＢは、ＳＧＳＮ＿ｏｌｄに向けてプロキシ登録を行い、ＳＧＳＮ＿ｏｌｄはそのプロキシ登録をＳＧＳＮ＿ｎｅｗに転送する。図６において、ｅＮＢはＳＧＳＮ＿ｎｅｗに向けてプロキシ登録を直接に行う。
【００２３】
これら３つのシナリオを、それぞれ、図４、５および６を参照しながら順に説明する。
【００２４】
技術Ｂのコア・ネットワークが変更されない場合のトラッキング・エリア更新
図４に示されているように、ユーザ端末が技術Ａ、すなわちＬＴＥにキャンプオンしているものとする。ユーザ端末が、図３で示されているように、アタッチ受諾（Ａｔｔａｃｈ  Ａｃｃｅｐｔ）メッセージで与えられた１組の組み合わされたトラッキング・エリアをまたぐと、ユーザ端末はｅＮＢに向けてトラッキング・エリア更新を行う。技術Ａ（ＬＴＥ）のＲＡＮ（ｅＮＢ）が、このメッセージを受信すると、ｅＮＢ内で維持されているマッピング・テーブルを使用して、技術Ｂ（ＵＭＴＳ）のオーバーラップしているＵＭＴＳセルのＲＡＩｄを組み込む（ステップｂ１）。技術Ａのコア・ネットワーク・ノード（ＬＣＮ）がこのトラッキング・エリア／ルーティング・エリア更新を受信し、コア・ネットワーク内で維持されているマッピング・テーブルを使用して技術Ｂ内のＵＥの一時識別情報または技術ＢのＲＡＩｄに基づいて、技術Ｂのコア・ネットワーク・ノード（ＳＧＳＮ＿ｏｌｄ）を識別する（ステップｃ１）。ＬＣＮが、次いで、技術Ｂ内のコア・ネットワーク・ノード（ＳＧＳＮ＿ｏｌｄ）に向けてプロキシ・ルーティング・エリア更新要求を送信する（ステップｄ１）。
【００２５】
技術Ｂ内のコア・ネットワーク・ノードがこのトラッキング・エリア／ルーティング・エリア識別情報の値を検査して（ステップｅ１）、その値が、そのコア・ネットワーク・ノードが管理する値と矛盾しなければ、そのコア・ネットワーク・ノードは、技術Ｂ内の、ユーザ端末が信号を生成せずに中で移動してよいと考えることができる１つのトラッキング・エリア／ルーティング・エリア（またはそのようなトラッキング・エリア／ルーティング・エリアのリスト）を返す（ステップｆ１）。
【００２６】
この情報セットは、次いで、技術Ａ内で、ユーザ端末が信号を生成せずに移動できる１つのトラッキング・エリア／またはルーティング・エリア識別情報、またはトラッキング・エリア／ルーティング・エリア識別情報のリストと共にトラッキング・エリア／ルーティング・エリア更新応答に入れてユーザ端末に送信される（ステップｇ１）。また、コア・ネットワーク・ノードのアドレスが異なっている場合（すなわち、ＣＮノードに変更がある場合）、技術Ａ内で、ゲートウェイ・ノードがそのアドレスで更新される（ステップｈ１およびｉ１）。その結果、ユーザ端末は、両方の技術のトラッキング・エリア／ルーティング・エリアのリストを取得し、ユーザ端末は、トラッキング・エリア／ルーティング・エリア更新信号を生成せずに２つの技術のトラッキング・エリア／ルーティング・エリア内で移動できるようになる。また、ユーザ端末は、各技術でそのユーザ端末を扱うコア・ノードと矛盾しない一時識別情報も有している。
【００２７】
技術Ｂのコア・ネットワークが変更された場合のトラッキング・エリア更新のための２つのシナリオ
図５において、ステップａ２からｄ２およびｈ２からｋ２は、図４に関して上記の説明でそれぞれ参照されたステップａ１からｄ１およびステップｆ１からｉ１と同じである。ＳＧＳＮ＿ｏｌｄにおいて、トラッキング・エリア／ルーティング・エリア識別情報の値が技術Ｂ内の代替コア・ネットワーク・ノード（ＳＧＳＮ＿ｎｅｗ）のアドレスを指している場合（ステップｅ２）、ＳＧＳＮ＿ｏｌｄは、このノードにプロキシ登録を転送する（ステップｆ２）。このノードは、次いで、ルーティング・エリア／トラッキング・エリア値の検査を繰り返して、技術Ｂの第１のコア・ネットワーク・ノード（ＳＧＳＮ＿ｏｌｄ）を介して（ステップｈ２）、技術Ａ内のコア・ネットワーク・ノード（ＬＣＮ）に、技術Ｂ内の、ユーザ端末が信号を生成せずに中で移動してよいと考えることができる１つのトラッキング・エリア／ルーティング・エリア（またはそのようなトラッキング・エリア／ルーティング・エリアのリスト）を、技術Ｂ内の、ユーザ端末によって使用される一時識別情報と共に返す（ステップｇ２）。
【００２８】
図６において、ステップａ３からｂ３およびｈ３からｊ３は、図３に関して上記の説明でそれぞれ参照されたステップａ１からｂ１およびステップｇ１からｉ１と同じである。代替の実施形態では、技術Ａのコア・ネットワーク・ノード（ＬＣＮ）が、技術ＢのＴＡＩｄによって識別された、技術Ｂの新コア・ネットワーク・ノードにプロキシ更新を送信する（ステップｄ３）。新コア・ネットワーク・ノードは、次いで、技術Ｂの旧ＣＮ（ＳＧＳＮ＿ｏｌｄ）からユーザ端末のコンテキスト信号を取り出す（ステップｅ３およびｆ３）。ＳＧＳＮ＿ｎｅｗは、次いで、技術Ａのコア・ネットワーク（ＬＣＮ）にプロキシ更新応答を送信する（ステップｇ３）。
【００２９】
ルーティング・エリア更新
基本的なことを言えば、図７は、ユーザ端末がＵＭＴＳ無線アクセス・ネットワーク（ＲＡＮ）に向けてルーティング・エリア更新を行うことに関する。ＵＭＴＳコア・ネットワークがＬＴＥコア・ネットワークに向けてプロキシ登録を行う。ＵＭＴＳ無線ネットワーク・コントローラ（ＲＮＣ）が、サービングＧＰＲＳサポート・ノード（ＳＧＳＮ）に向けてルーティング・エリア更新を転送しながらＬＴＥトラッキング・エリアを付加する。ユーザ端末が、その中では更新をまったく行う必要がないトラッキング・エリアおよびルーティング・エリアのリストを提供される。
【００３０】
図７に示されているように、より具体的には、ユーザ端末が、ＵＭＴＳ  ＲＮＣに向けてルーティング・エリア更新を送信し（ステップａ４）、ＲＮＣが、次いで、その更新をＳＧＳＮに転送し（ステップｂ４）、さらにＲＮＣ内に記憶されているマッピング・レコードを使用して、オーバーラップしているＬＴＥ  ＴＡＩｄを組み込む。ＳＧＳＮは、ＳＧＳＮ内で維持されているマッピング・テーブルを使用して、Ｌ−ＴＭＳＩに基づいてＵＥのＬＣＮを判定する（ステップｃ４）。ＳＧＳＮは、次いで、ＬＣＮに向けてプロキシ・トラッキング・エリア更新を行う（ステップｄ４）。ＬＣＮは、提供されたＴＡＩｄがそのＬＣＮに属すかを検査する（ステップｅ４）。ＴＡＩｄに対応するＬＣＮが異なる場合、ＬＣＮ＿ｏｌｄはプロキシＴＡ更新をＬＣＮ＿ｎｅｗに転送する（ステップｆ４）。ＬＣＮ＿ｎｅｗは、ＬＣＮ＿ｎｅｗへプロキシ・トラッキング・エリア更新応答で応答する（ステップｇ４）。ＬＣＮ＿ｏｌｄは、ＳＧＳＮへ、ＬＴＥユーザ端末識別情報（Ｌ−ＴＭＳＩ）、およびその中ではユーザ端末がトラッキング・エリア更新を生成することなくローミングできるトラッキング・エリアのリストを組み込んだプロキシ・トラッキング・エリア更新応答を送信する（ステップｈ４）。ＳＧＳＮは、最終的に、ユーザ端末へ、ＬＣＮから受信された情報およびＵＭＴＳユーザ端末識別情報（Ｐ−ＴＭＳＩ）およびその中ではユーザ端末がルーティング・エリア更新を生成することなくローミングできるＲＡＩｄのリストを組み込んだルーティング・エリア更新受諾（Ａｃｃｅｐｔ）を送信する（ステップｉ４）。ＳＧＳＮに変更がある場合、ゲートウェイへのトンネルもＳＧＳＮによって更新され（ステップｊ４）、ホーム加入者サーバ／ホーム位置レジスタ（ＨＳＳ／ＨＬＲ）に向けて位置更新も行われる（ステップｋ４）。
【００３１】
代替の、別の類似した実施形態（図示せず）では、ＳＧＳＮは、ステップｄ４のプロキシ・トラッキング・エリア更新を、ＬＣＮ＿ｏｌｄを介してではなく、ＬＣＮ＿ｎｅｗに直接に送信する。
【００３２】
ダウンリンク・データの転送およびページング
図８は、ＵＭＴＳ内で最後に登録されたユーザ端末が、アイドルのとき、ＵＭＴＳおよびＬＴＥの両方でどのようにページングされるかに関する。このユーザ端末は、ＬＴＥシステム上で応答する。ページング応答が受信されると、ベアラ（無線チャネル）がセットアップされ、データがＬＴＥシステムを介してユーザ端末に送信される。
【００３３】
図８に示されているように、ダウンリンク・パケットがゲートウェイ（図８ではＧＷと表されている）に到着すると（ステップａ５）、そのパケットは、続いて、最後に登録されたコア・ネットワーク・ノード（ＳＧＳＮ）に送信される（ステップｂ５）。ＳＧＳＮが、他方の技術で、アタッチ中またはトラッキング・エリア／ルーティング・エリア更新手順中にそのユーザ端末に関連付けられたコア・ネットワーク・ノード（ＬＣＮ）に連絡することにより（ステップｃ５およびｄ５）、両方の技術（ＬＴＥおよびＵＭＴＳ）でページングをトリガする。ＳＧＳＮは、ユニバーサル移動通信システム（ＵＭＴＳ）地上無線アクセス・ネットワーク（ＵＴＲＡＮ）としても知られる、ＵＭＴＳ無線アクセス・ネットワークＲＡＮにページング・メッセージを送信する（ステップｅ５）。ＬＣＮも、次いで、ページング・メッセージをｅＮＢに送信する（ステップｆ５）。ＵＴＲＡＮ（ステップｇ５）およびｅＮＢ（ステップｈ５）の両方が、次いで、無線インターフェースを介してユーザ端末をページングする。ユーザ端末は、それが現在そのｅＮＢにキャンプオンしている技術（すなわち、ＬＴＥ）を介してページング・メッセージに応答する。ｅＮＢは、ページング応答を、ｅＮＢのコア・ネットワーク・ノード（ＬＣＮ）に転送する（ステップｊ５）。ＬＣＮは、次いで、ＬＣＮがステップｃ５でページング要求を受信した送信元である最後に登録されたコア・ネットワーク・ノード（ＳＧＳＮ）に、ページング応答を転送する（ステップｋ５）。ＳＧＳＮは、次いで、ＳＧＳＮがステップｂ５で受信したＬＣＮデータに対して転送する（ステップｌ５）。セキュリティ機能がＬＣＮによって実行される（ステップｍ５）。ゲートウェイが、データがＬＣＮに送信されることを要求するように更新される（ステップｎ５）。ＬＴＥによるＬＣＮとユーザ端末間のベアラがステップｏ５、ｐ５、およびｑ５で確立される。ＬＣＮは、次いで、データをｅＮＢに転送し（ステップｒ５）、ｅＮＢはデータをユーザ端末に送信する（ステップｓ５）。
【００３４】
全体
本発明は、その本質的な特徴から逸脱することなく他の具体的な形で実施することができる。説明された実施形態は、すべての点で、例示であって、限定ではないと考えるべきである。したがって、本発明の範囲は、前述の説明によってではなく、添付の特許請求の範囲によって示されるものとする。請求項の均等物の意味およびその範囲内に入るすべての変更は、その範囲内に含まれるものとする。
【００３５】
頭字語のリスト
ＣＮ：Ｃｏｒｅ  Ｎｅｔｗｏｒｋ（コア・ネットワーク）
ｅＮＢ：Ｅｎｈａｎｃｅｄ  ＮｏｄｅＢ（拡張ノードＢ）
ＧＰＲＳ：Ｇｅｎｅｒａｌ  Ｐａｃｋｅｔ  Ｒａｄｉｏ  Ｓｙｓｔｅｍ（汎用パケット無線システム）
ＧＷ：Ｇａｔｅｗａｙ（ゲートウェイ）
ＨＳＳ／ＨＬＲ：Ｈｏｍｅ  Ｓｕｂｓｃｒｉｂｅｒ  Ｓｅｒｖｅｒ／Ｈｏｍｅ  Ｌｏｃａｔｉｏｎ  Ｒｅｇｉｓｔｅｒ（ホーム加入者サーバ／ホーム位置レジスタ）
ＬＣＮ：ＬＴＥ  Ｃｏｒｅ  Ｎｅｔｗｏｒｋ／ＬＴＥ  Ｃｏｒｅ  Ｎｅｔｗｏｒｋ  ｎｏｄｅ（ＬＴＥコア・ネットワーク／ＬＴＥコア・ネットワーク・ノード）
ＬＴＥ：Ｌｏｎｇ  Ｔｅｒｍ  ｅｖｏｌｕｔｉｏｎ（長期発展）
Ｌ−ＴＭＳＩ：ＬＴＥ  Ｔｅｍｐｏｒａｒｙ  Ｍｏｂｉｌｅ  Ｓｕｂｓｃｒｉｂｅｒ  Ｉｄｅｎｔｉｔｙ（ＬＴＥ一時移動加入者識別情報）
Ｐ−ＴＭＳＩ：Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ（パケット一時移動加入者識別情報）
ＲＡ：Ｒｏｕｔｉｎｇ  Ａｒｅａ（ルーティング・エリア）
ＲＡＩｄ：Ｒｏｕｔｉｎｇ  Ａｒｅａ  Ｉｄｅｎｔｉｔｙ（ルーティング・エリア識別情報）
ＲＡＮ：Ｒａｄｉｏ  ａｃｃｅｓｓ  Ｎｅｔｗｏｒｋ（無線アクセス・ネットワーク）
ＲＮＣ：Ｒａｄｉｏ  Ｎｅｔｗｏｒｋ  Ｃｏｎｔｒｏｌｌｅｒ（無線ネットワーク・コントローラ）
ＳＧＳＮ：Ｓｅｒｖｉｎｇ  ＧＰＲＳ  Ｓｕｐｐｏｒｔ  Ｎｏｄｅ（サービングＧＰＲＳサポート・ノード）
ＴＡ：Ｔｒａｃｋｉｎｇ  Ａｒｅａ（トラッキング・エリア）
ＴＡＩｄ：  Ｔｒａｃｋｉｎｇ  Ａｒｅａ  Ｉｄｅｎｔｉｔｙ（トラッキング・エリア識別情報）
ＵＥ：  Ｕｓｅｒ  Ｅｑｕｉｐｍｅｎｔ（ユーザ機器）
ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ユニバーサル移動通信システム）
ＵＴＲＡＮ：ＵＭＴＳ  Ｒａｄｉｏ  Ａｃｃｅｓｓ  Ｎｅｔｗｏｒｋ（ＵＭＴＳ無線アクセス・ネットワーク）
【図１】
2010518717.tif 000003
【図２】
2010518717.tif 000004
【図３】
2010518717.tif 000005
【図４】
2010518717.tif 000006
【図５】
2010518717.tif 000007
【図６】
2010518717.tif 000008
【図７】
2010518717.tif 000009
【図８】
2010518717.tif 000010
【国際調査報告】
2010518717.tif 000011
2010518717.tif 000012
2010518717.tif 000013